(57)【要約】【課題】１点部品による遮光部材で複数の挿入部内の遮光が同時に行えることで、製造上における作業性の向上と低コスト化を図る。【解決手段】双方向からの光コネクタプラグを受け入れ可能となる両端に複数の開口を有するハウジング（１）の各開口内に割りスリーブ３を介して挿入するスリーブホルダー４を備えて成る光コネクタ相互接続用アダプタであって、ハウジング（１）の両開口間に着脱可能に係止する差し込み部１２と、各開口内奥側のスリーブホルダー４からの出射光を同時に遮蔽するよう差し込み部１２に突設した複数の遮光板１３とから成る遮光部材１１を備える。【選択図】図３
2008046146.tif 000002
【特許請求の範囲】
【請求項１】
双方向からの光コネクタプラグを受け入れ可能となる両端に複数の開口を有するハウジングの各開口内に割りスリーブを介して挿入されるスリーブホルダーを備えて成る光コネクタ相互接続用アダプタであって、ハウジングの開口側に着脱可能に係止される差し込み部と、各開口内奥側のスリーブホルダーからの出射光を同時に遮蔽するよう差し込み部に突設した複数の遮光板とから成る遮光部材を備えたことを特徴とする光コネクタ相互接続用アダプタ。
【請求項２】
遮光部材は、２つの開口を有するハウジングの両開口間に装着して係止される差し込み部と、両開口内奥側のスリーブホルダーからの出射光を同時に遮蔽するよう差し込み部から末広がりの二股状に突設した一対の遮光板とから成る請求項１記載の光コネクタ相互接続用アダプタ。
【請求項３】
遮光部材は、３つ以上の開口を有するハウジングの各開口の上端側もしくは下端側から装着して係止される差し込み部と、各開口内奥側のスリーブホルダーからの出射光を同時に遮蔽するよう差し込み部から各開口に対応して突設した複数の遮光板とから成る請求項１記載の光コネクタ相互接続用アダプタ。
【請求項４】
差し込み部の内側には、両開口間に装着した遮光部材の離脱を阻止する係止片を備えた請求項１乃至３のいずれかに記載の光コネクタ相互接続用アダプタ。
【発明の詳細な説明】
【技術分野】
【０００１】
本発明は、例えばＬＣ型コネクタ等の一対の対向する光コネクタプラグを相互接続する光コネクタ相互接続用アダプタに関する。
【背景技術】
【０００２】
一対の対向する光コネクタプラグを相互接続する光コネクタ相互接続用アダプタのハウジングから一方の光コネクタプラグが抜き外されると、挿入部内奥側のスリーブホルダーから他方の光コネクタプラグからの出射光が漏れてしまう。この出射光を遮蔽するためには、従来では、特許文献１に開示されているように、略Ｌ字形状のシャッター板をハウジングの底部外壁に挟み込んで固定し、シャッター板の立ち上がり部を挿入部内奥側に臨ませるようにした遮光シャッター付きアダプタなる技術が存在する。
【特許文献１】特開２００１−１９４５６２号公報
【発明の開示】
【発明が解決しようとする課題】
【０００３】
しかしながら、従来においては、ハウジングの複数の挿入部毎に個々のシャッター板を固定し、各シャッター板の立ち上がり部をそれぞれ独立した状態で挿入部内奥側に臨ませるようにしているため、部品点数が増えてコスト高となり、しかも、組み付け作業が非常に面倒なものとなる問題があった。
【０００４】
そこで、本発明は、叙上のような従来存した諸事情に鑑み案出されたもので、双方向からの光コネクタプラグを受け入れ可能となる両端開口の複数の挿入部を有するハウジングの各挿入部内に割りスリーブを介して挿入されるスリーブホルダーを備えて成る光コネクタ相互接続用アダプタにおいて、１点部品による遮光部材で複数の挿入部内の遮光が同時に行えることで、製造上における作業性の向上と低コスト化を図ることができる光コネクタ相互接続用アダプタを提供することを目的とする。
【課題を解決するための手段】
【０００５】
上述した課題を解決するため、本発明にあっては、双方向からの光コネクタプラグを受け入れ可能となる両端に複数の開口を有するハウジングの各開口内に割りスリーブを介して挿入されるスリーブホルダーを備えて成る光コネクタ相互接続用アダプタであって、ハウジングの開口側に着脱可能に係止される差し込み部と、各開口内奥側のスリーブホルダーからの出射光を同時に遮蔽するよう差し込み部に突設した複数の遮光板とから成る遮光部材を備えたことを特徴とする。
【０００６】
遮光部材は、２つの開口を有するハウジングの両開口間に装着して係止される差し込み部と、両開口内奥側のスリーブホルダーからの出射光を同時に遮蔽するよう差し込み部から末広がりの二股状に突設した一対の遮光板とから成る。
【０００７】
遮光部材は、３つ以上の開口を有するハウジングの各開口における上端側もしくは下端側から装着して係止される差し込み部と、各開口内奥側のスリーブホルダーからの出射光を同時に遮蔽するよう差し込み部から各開口に対応して突設した複数の遮光板とから成る。
【０００８】
差し込み部の内側には、両開口間に装着した遮光部材の離脱を阻止する係止片を備えている。
【発明の効果】
【０００９】
本発明によれば、双方向からの光コネクタプラグを受け入れ可能となる両端に複数の開口を有するハウジングの各開口内に割りスリーブを介して挿入されるスリーブホルダーを備えて成る光コネクタ相互接続用アダプタにおいて、１点部品による遮光部材で複数の開口内の遮光が同時に行えることで、製造上における作業性の向上と低コスト化を図ることができる。
【００１０】
特に、一体構造のハウジング内に一対のスリーブホルダーが反対向きに配されて成る、例えば、２心用または４心等の光コネクタ相互接続用アダプタのいずれにおいても、１点部品の簡易構造による遮光部材でもって、複数の開口内の遮光が同時に行える。
【００１１】
さらに、差し込み部の内側には、両開口間に装着した遮光部材の離脱を阻止する係止片を備えたので、光コネクタプラグの挿脱によって遮光部材が離脱されるのを防止することができる。
【発明を実施するための最良の形態】
【００１２】
以下、図面を参照して本発明を実施するための最良の一形態を説明する。
図において示される符号１は、例えばＬＣ型コネクタ等の一対の対向する光コネクタプラグを相互接続するための２心用の光コネクタ相互接続用アダプタを構成する外部ハウジングである。
【００１３】
この外部ハウジング１は、図１、図２および図５に示すように、一対の対向する光コネクタプラグＰを両端開口から相互に挿入可能とする矩形状の筒体によって形成され、外部ハウジング１内部の中央には、図２（ｂ）、図４に示すように、中央仕切部６が一体形成され、該中央仕切部６には、光コネクタプラグＰ先端部を装着保持するための、内側から一方の開口側へ向けて突出した状態の円筒状を成す左右一対のスリーブホルダー５を備えている。
【００１４】
図３に示すように、外部ハウジング１内部には、この上側内壁面の中央長手方向に沿って、内部ハウジング２上側を挿入するための下面中央にガイド溝条７ａを備えた突部７が形成され、さらに、下側内壁面の中央長手方向に沿って、内部ハウジング２下側を挿入するための長手方向に沿って凹条のガイド溝条７ｂが形成されている。
【００１５】
そして、中央仕切部６側からスリーブホルダー５の内方に割りスリーブ３が嵌挿され、前記中央仕切部６に対向すべく、矩形板体の長手方向一端側に直角に配された左右一対の直角板それぞれに円筒状のスリーブホルダー４を突設して成る内部ハウジング２が、外部ハウジング１の他方の開口側から上下両ガイド溝条７ａ、７ｂに沿って挿入されることで、中央仕切部６を介して両スリーブホルダー４、５がそれぞれ反対向きに突出配置される。これにより、図２（ｂ）に示すように、両スリーブホルダー４、５内に、割りスリーブ３が内挿された状態となる。
【００１６】
また、図１または図３に示すように、外部ハウジング１の一端側は、両側板１ａ、１ｂおよび中央のガイド溝条７ａの上端面に、弧状の切欠部９を形成し、これに対応して内部ハウジング２の前部上端面にも弧状の切欠部１０を形成してある。したがって、外部ハウジング１内に内部ハウジング２を上下両ガイド溝条７ａ、７ｂに沿って中央仕切部６に当接するまで挿入すると、図１に示すように、外部ハウジング１の切欠部９と内部ハウジング２の切欠部１０とは合致する。
尚、この切欠部９、１０は、外部ハウジング１の両端開口側に形成されていても良い。
【００１７】
また、外部ハウジング１の一端側には、図３乃至図５に示すように、両開口内奥側のスリーブホルダー４（またはスリーブホルダー５）からの出射光を同時に遮蔽するための遮光部材１１が着脱可能となるように取り付けられる。
【００１８】
すなわち、遮光部材１１は、図３および図６に示すように、内部ハウジング２の前部中央から左右両側面にかけて凹設した溝部１４に装着して係止されるコ字形状の差し込み部１２と、該差し込み部１２の両端から二股状に延設されて末広がりとなり且つ両先端側が互いに外方へ向くように屈曲された一対の遮光板１３とから成る。
【００１９】
尚、差し込み部１２の互いに対向する内壁面には、図６（ｄ）に示すように、溝部１４に装着された差し込み部１２の離脱を阻止するため係止片１５を互いに内方に向けて切り起すことで突設してある。一方、溝部１４側には、この係止片１５を係止させるための係止孔１６が形成されている。
【００２０】
前記遮光板１３は、図５に示すように、開口内に光コネクタプラグＰを差し込んだ際に、当該遮光板１３を開口内壁面に押し退け、開口内から光コネクタプラグＰを抜き出した際に、当該遮光板１３を光遮蔽位置に復帰させるよう差し込み部１２から外方に向けて任意のバネ圧を付与して成る。
【００２１】
次に、以上のように構成された最良の形態についての使用、組立、動作の一例について説明する。
本アダプタの組立に際し、先ず、図３に示すように、外部ハウジング１の中央仕切部６側からスリーブホルダー５の内方に向けて割りスリーブ３の略半分が嵌挿される。
【００２２】
そして、内部ハウジング２が外部ハウジング１内の中央仕切部６位置まで上下両ガイド溝条７ａ、７ｂに沿って挿入される。このとき、内部ハウジング２のスリーブホルダー４内に割りスリーブ３の他の略半分が嵌挿される。
【００２３】
こうして、図２（ａ）に示すように、中央仕切部６を介して両スリーブホルダー４、５がそれぞれ反対向きに突出配置され、且つ両スリーブホルダー４、５内に完全に割りスリーブ３が内挿された状態となる。
【００２４】
また、内部ハウジング２の溝部１４には、遮光部材１１が装着される。
このとき、差し込み部１２の係止片１５が溝部１４の係止孔１６に嵌って係止される。そして、図４に示すように、差し込み部１２の両端から二股状に延設されて末広がりとなった一対の遮光板１３が、両開口内奥側のスリーブホルダー４（またはスリーブホルダー５）にそれぞれ対向配置されることで、スリーブホルダー４（またはスリーブホルダー５）からの出射光が同時遮蔽される。
【００２５】
光コネクタプラグＰの相互接続に際し、図５に示すように、外部ハウジング１の両端開口側から当該光コネクタプラグＰの先端部分が挿入され、両スリーブホルダー４、５内の割りスリーブ３内にそれぞれのフェルールＰ１が導入される。これによって光コネクタプラグＰ同士が接続される。
【００２６】
このとき、遮光部材１１が装着されている側の開口内に光コネクタプラグＰを差し込んだ際には、図５（ａ）に示すように、当該光コネクタプラグＰによって当該遮光板１３が開口内壁面に押し退けられた状態となり、光コネクタプラグＰ挿入完了後には、図５（ｂ）に示すように、遮光部材１１が有するバネ圧作用によって光コネクタプラグＰの側面を保持した状態となる。また、開口内から光コネクタプラグＰを抜き出した際には、遮光部材１１自体の弾性力によって当該遮光板１３は光遮蔽位置に復帰させられる。
【００２７】
また、上記した２心の外部ハウジング１による光コネクタ相互接続用アダプタを構成する替わりに、図７に示すように、４心用の外部ハウジング１による光コネクタ相互接続用アダプタを構成しても良い。
【００２８】
すなわち、外部ハウジング１内の中央仕切部６には光コネクタプラグの先端凹部を装着保持するための、内側から一方の開口側へ向けて突出した状態の円筒状を成す合計４本のスリーブホルダー５を備えている。また、図７に示すように、外部ハウジング１内を長手方向に沿って左右に仕切るように、中央仕切部６の前後面中央から開口側に向けて縦仕切部８が一体成形により設けられている。
【００２９】
そして、この縦仕切部８を介しての左右開口内部には、これら上側内壁面の中央長手方向に沿って、内部ハウジング２上側を挿入するための下面中央にガイド溝条７ａを備えた突部７がそれぞれ形成され、さらに、これら下側内壁面の中央長手方向に沿って、内部ハウジング２下側を挿入するための凹条のガイド溝条７ｂがそれぞれ形成されている。
【００３０】
そして、既述した２心用の光コネクタ相互接続用アダプタと同様、スリーブホルダー５内に、割りスリーブ３が内挿され、前記中央仕切部６に対向すべく、矩形板体の長手方向一端側に直角に配された左右一対の直角板それぞれに円筒状のスリーブホルダー４を突設して成る２個の内部ハウジング２が、外部ハウジング１の他方の開口側の左右それぞれから上下両ガイド溝条７ａ、７ｂに沿って挿入されることで、中央仕切部６を介して４個のスリーブホルダー４、５がそれぞれ反対向きに突出配置される。これにより各スリーブホルダー４、５内に割りスリーブ３が完全に内挿された状態となる。
【００３１】
外部ハウジング１の一端側には、両開口内奥側のスリーブホルダーからの出射光を同時に遮蔽するための遮光部材１１が着脱可能となるように取り付けられる。
この遮光部材１１は、既述した２心用の光コネクタ相互接続用アダプタに使用されているものと同様の構成を有する。すなわち、図３および図６に示すように、内部ハウジング２の前部中央から左右両側面にかけて凹設した溝部１４に装着して係止されるコ字形状の差し込み部１２と、該差し込み部１２の両端に形成された一対の遮光板１３と、差し込み部１２に突設された溝部１４からの離脱を阻止する係止片１５とを有する。
【００３２】
かく構成される遮光部材１１を一個ずつ外部ハウジング１中央の縦仕切部８両側の各開口内部に嵌挿された内部ハウジング２の溝部１４に装着すると、各係止片１５が溝部１４の係止孔１６に嵌って係止されると共に、遮光板１３によって各開口内奥側のスリーブホルダー５からの出射光が同時遮蔽される。
【図面の簡単な説明】
【００３３】
【図１】本発明を実施するための最良の形態における２心用の光コネクタ相互接続用アダプタを示す斜視図である。
【図２】同じく２心用の光コネクタ相互接続用アダプタを示すもので、（ａ）平面図、（ｂ）は（ａ）中のＸ−Ｘ断面図、（ｃ）は左側面図、（ｄ）は右側面図である。
【図３】同じく外部ハウジングに割りスリーブと内部ハウジングと遮光部材を挿入する状態を示す分解斜視図である。
【図４】同じく外部ハウジングに割りスリーブと内部ハウジングと遮光部材を挿入した状態を示すもので、（ａ）は縦断面図、（ｂ）は（ａ）のＹ−Ｙ断面図である。
【図５】同じく２心用の光コネクタ相互接続用アダプタに光コネクタプラグを挿入する状態を示すもので、（ａ）はプラグ挿入途中の一部切欠断面図、（ｂ）はプラグ挿入完了状態の一部切欠断面図である。
【図６】２心用の光コネクタ相互接続用アダプタに使用される遮光部材の一例を示し、（ａ）は平面図、（ｂ）は側面図、（ｃ）は底面図、（ｄ）は正面図である。
【図７】４心用の光コネクタ相互接続用アダプタを示す斜視図である。
【符号の説明】
【００３４】
Ｐ          光コネクタプラグ
１          外部ハウジング
２          内部ハウジング
３          割りスリーブ
４、５      スリーブホルダー
６          中央仕切部
７          突部
７ａ、７ｂ  ガイド溝条
８          縦仕切部
９、１０    切欠部
１１        遮光部材
１２        差し込み部
１３        遮光板
１４        溝部
１５        係止片
１６        係止孔
【図１】
2008046146.tif 000003
【図２】
2008046146.tif 000004
【図３】
2008046146.tif 000005
【図４】
2008046146.tif 000006
【図５】
2008046146.tif 000007
【図６】
2008046146.tif 000008
【図７】
2008046146.tif 000009